(57)【要約】【構成】  長方形の開口を有する枠体とこの枠体に一列に配列した状態で前記開口を閉じる複数の長方形状の蓋体とを備えている。前記枠体は内周面に蓋受棚を突設し、この蓋受棚の裏側にその先端面から凹んだ係止凹部を形成するとともにこの係止凹部の底面と前記蓋受棚の先端面とを第二斜面で連設している。且つ、前記蓋体の外周面に外側に付勢した係止突起を設けるとともにこの係止突起の先端面を下方に向かって後退する第一斜面に形成した共同溝用蓋体ストッパ装置である。【効果】  蓋体を閉止状態にするときに、その自重にのみによってできるため、所謂、１アクションのみでできるため、閉蓋作業が簡易になり、この結果、共同溝への蓋体の設置作業の作業能率を向上させやすいものである。【選択図】  図３
2008031804.tif 000002
【特許請求の範囲】
【請求項１】
長方形の開口を有する枠体とこの枠体に一列に配列した状態で前記開口を閉じる複数の長方形状の蓋体とを備え、前記枠体は内周面に蓋受棚を突設し、この蓋受棚の裏側にその先端面から凹んだ係止凹部を形成するとともにこの係止凹部の底面と前記蓋受棚の先端面とを第２斜面で連設し、且つ、前記蓋体の外周面に外側に付勢した係止突起を設けるとともにこの係止突起の先端面を下方に向かって後退する第１斜面に形成したことを特徴とする共同溝用蓋体ストッパ装置。
【請求項２】
前記蓋受棚の先端面を下方に向かって突出する第３斜面に形成したことを特徴とする請求項１の共同溝用蓋体ストッパ装置。
【請求項３】
前記係止突起の第１斜面は、前記蓋受棚の第３斜面よりも緩やかであることを特徴とする請求項２の共同溝用蓋体ストッパ装置。
【発明の詳細な説明】
【技術分野】
【０００１】
この発明は共同溝用蓋体ストッパ装置に関し、例えば、ＣＣボックス等における蓋体のストッパ装置として使用されるものである。
【背景技術】
【０００２】
従来におけるこの種の蓋体ストッパ装置は、枠体の蓋受棚に切り欠きを設けるとともにこの蓋体の外周面に係止具を設け、この蓋体を、前記係止具が前記枠体の切り欠きを通過するように、前記枠体の蓋受棚に載せ、そして、蓋体をスライドすることにより前記係止具を前記枠体の切り欠きの位置からずらすことによって前記枠体に固定し、閉止状態にしていた。
【０００３】
【特許文献１】実用新案登録第３１０３８１１号公報
【発明の開示】
【発明が解決しようとする課題】
【０００４】
しかしながら、かかる従来の蓋体ストッパ装置にあっては、蓋体を閉止状態にするときに、前記係止具を前記枠体の切り欠きに貫通させた後に水平方向にスライドしなければならず、所謂、２アクションを必要としなければならないため、閉蓋作業に手間がかかり、また、前記蓋体を、前記切り欠きからずれた状態で載置した場合に、溝内に落下しないように作業しなければならないため、閉蓋作業に手間がかかり、この結果、共同溝への蓋体の設置作業の作業能率を向上させにくいという不都合を有した。
【０００５】
この発明の課題はこの不都合を解消することである。
【課題を解決するための手段】
【０００６】
この課題を達成するために、この発明に係る共同溝用蓋体ストッパ装置においては、長方形の開口を有する枠体とこの枠体に一列に配列した状態で前記開口を閉じる複数の長方形状の蓋体とを備え、前記枠体は内周面に蓋受棚を突設し、この蓋受棚の裏側にその先端面から凹んだ係止凹部を形成するとともにこの係止凹部の底面と前記蓋受棚の先端面とを第２斜面で連設し、且つ、前記蓋体の外周面に外側に付勢した係止突起を設けるとともにこの係止突起の先端面を下方に向かって後退する第１斜面に形成したものである。
【０００７】
なお、前記蓋受棚の先端面を下方に向かって突出する第３斜面に形成することもできる。
【０００８】
また、この場合、前記係止突起の第１斜面を、前記蓋受棚の第３斜面よりも緩やかにすることができる。
【発明の効果】
【０００９】
この発明に係る共同溝用蓋体ストッパ装置は上記のように構成されているため、即ち、長方形の開口を有する枠体とこの枠体に一列に配列した状態で前記開口を閉じる複数の長方形状の蓋体とを備え、前記枠体は内周面に蓋受棚を突設し、この蓋受棚の裏側にその先端面から凹んだ係止凹部を形成するとともにこの係止凹部の底面と前記蓋受棚の先端面とを第２斜面で連設し、且つ、前記蓋体の外周面に外側に付勢した係止突起を設けるとともにこの係止突起の先端面を下方に向かって後退する第１斜面に形成したため、
蓋体を、その係止突起が前記枠体の係止凹部の上方になるように位置決めし、その状態で、前記蓋体を枠体の蓋受棚に載置すれば、この蓋体は自重によって下方に移動するため、前記係止突起の第１斜面と前記蓋受棚との間にカム作用が発生して、係止突起は付勢に抗して後退する。そして、前記係止突起は前記蓋受棚を過ぎると再度押し出され前記係止凹部に係止される。このとき、前記蓋体は蓋受棚に載置されている。
【００１０】
この状態で、蓋体を枠体に対して蓋受棚に沿ってスライドさせれば、係止凹部に係止された係止突起と先端縁と前記第２斜面との間にカム作用が発生して、前記係止突起は付勢に抗して後退し前記係止凹部から外れて前記蓋受棚の先端面に位置する。この状態で、持ち上げることによって、蓋体を前記枠体から開放し、取り外すことができる。
【００１１】
よって、この共同溝用蓋体ストッパ装置を使用すれば、蓋体を閉止状態にするときに、その自重にのみによってできるため、所謂、１アクションのみでできるため、閉蓋作業が簡易になり、この結果、共同溝への蓋体の設置作業の作業能率を向上させやすいものである。また、閉蓋作業中に、前記蓋体が、溝内に落下するおそれはないため、閉蓋作業が容易になり、この点からも、共同溝への蓋体の設置作業の作業能率を向上させやすいものである。
【００１２】
なお、前記蓋受棚の先端面を下方に向かって突出する第３斜面に形成すれば、前記蓋体を閉止状態にするときに、その自重により係止突起に水平移動が加わるため、前記第１斜面との間でカム作用が滑らかに作動するものである。
【００１３】
また、この場合、前記係止突起の第１斜面を、前記蓋受棚の第３斜面よりも緩やかにすることにより、水平移動が大きくなり更に滑らかに移動する。さらに、蓋体を、水平方向の何れの位置からでも載置できるとともに蓋が落下するおそれもない。
【発明を実施するための最良の形態】
【００１４】
枠体の内周面に蓋受棚を突設し、この蓋受棚の裏側にその先端面から凹んだ係止凹部を形成し、この係止凹部の底面と前記蓋受棚の先端面とを第２斜面で連設する。そして、前記蓋体の外周面に外側に付勢した係止突起を設け、この係止突起の先端面を下方に向かって後退する第１斜面に形成することが必要である。
【実施例１】
【００１５】
以下、この発明の実施例として、ＣＣボックス用の蓋体ストッパ装置を取り上げ説明する。
図１はこの発明に係る共同溝用蓋体ストッパ装置の平面図、図２は図１におけるII-II 線拡大断面図、図３は同III-III 線拡大断面図、図４は図２におけるIV-IV 線断面図、図５は同Ｖ-V線断面図、図６は閉蓋前の図３に相当する図、図７は係止突起の開放状態の平面図、図８は図７におけるＶIII-VIII線断面図である。
【００１６】
図１において、ＣはＣＣボックス、10はその枠体であり、アンカーボルト11,11,…によって地表面に固定されている。この枠体10は長方形の開口を有している。20は第１蓋体，30,30,…は第２蓋体であり、前記枠体10に載置された状態で嵌められている。この第２蓋体30は、所謂、錠の設置されていない蓋体であり、この発明にかかる蓋体に相当する。
【００１７】
図３において、14は係止凹部であり、前記蓋受棚12の裏側にその先端面から凹んだ状態に形成されている。この係止凹部14には、後記係止突起33が出入する。図４及び図５において、15は第２斜面であり、この係止凹部14の底面と前記蓋受棚12の先端面とを連設している。この第２斜面15はカム面として機能する。
【００１８】
21はロック装置であり、前記第１蓋体20に設置されている。このロック装置21は、図２に示すように、シリンダ錠22を備え、このシリンダ錠22を操作することにより、前記第１蓋体20をロックしたり、このロックを開放したりする。また、前記第２蓋体30,30,…を取り外す場合には、この第１蓋体20を取り外さなければならないため、このシリンダ錠21は前記第２蓋体30のロック状態も兼ねているといえる。なお、図２及び図３において、12は蓋受棚であり、前記枠体10の内周面にフランジ状に突設されている。この蓋受棚12は、前記第１蓋体20又は前記第２蓋体30を受け止めるためのものである。なお、図３におけるこの蓋受棚12の先端面は下方に向かって突出する第３斜面13に形成されている。
【００１９】
図１において、31はストッパ装置であり、前記第２蓋体30に設置されている。このストッパ装置31によって、この第２蓋体30は前記枠体10に対して掛け止めされる。
【００２０】
図３〜図５に基づいて、このストッパ装置31について詳述する。
38は係止突起用函体であり、前記第２蓋体30の先端面に一体鋳造されている。この係止突起用函体38は、前記枠体10側に開口32を有している。33は係止突起であり、前記係止突起用函体38内に、圧縮ばね34によって先端方向に付勢された状態で、出入可能に設置されている。この係止突起33は前記係止凹部14に侵入して係止したり、後退してこの係止を解除したりする。35は第１斜面であり、前記係止突起33の先端面を下方に向かって後退させることにより形成されている。この第１斜面35はカム作用をするためのものである。      
【００２１】
また、この場合、前記係止突起33の第１斜面35を、前記蓋受棚12の第３斜面13よりも緩やかに形成されている（垂直方向に対して）。36は長孔であり、前記係止突起用函体38の底板に形成されている。この長孔36は前記係止突起33の進退方向に長径を有している。37は固定ボルトであり、前記長孔36を貫通して前記係止突起33にネジ止めされている。この固定ボルト37は、前記係止突起33に従って前記長孔36内を進退し、係止突起33が必要以上に突出したり，後退したりするのを防止している。
【００２２】
次に、図３〜図６に基づいて、この前記第２蓋体30の閉蓋方法について説明する。
先ず、図６に示すように、前記第２蓋体30を、そのストッパ装置31が前記枠体10の係止凹部14の上方になるように配置する。この状態で、前記第２蓋体30を前記枠体10の蓋受棚12に載置すれば、この第２蓋体30は自重によって下方に移動する。そのとき、前記係止突起33の第１斜面35と前記蓋受棚12の第３斜面13との間にカム作用が発生して、前記係止突起33は付勢に抗して後退しながら、前記蓋受棚12を通過する。そして、通過後に、図３〜５に示すように、再度、押し出され前記係止凹部14に係止される。このとき、前記第２蓋体30は蓋受棚12に載置されている。この方法で、所要数の第２蓋体30を設置した後に、前記第１蓋体20を前記枠体10を設置し、シリンダ錠21を締めて閉蓋作業は終了する。
【００２３】
次に、図７及び図８に基づいて、前記第２蓋体30を開く場合を説明する。
まず、シリンダ錠21を開放して前記第１蓋体20を取り外す。その後、図７に示すように、第２蓋体30を前記蓋受棚12に沿って矢印方向にスライドさせる。すると、前記係止凹部14に係止されていた前記係止突起33は、前記第２斜面15との間にカム作用が発生して、前記係止突起33は付勢に抗して後退し、前記係止凹部14から外れる。即ち、図７及び図８に示すように、前記係止突起33は前記蓋受棚12の先端面に弾性的に当接している。この状態で、前記第２蓋体30を持ち上げれば、前記枠体10から開放し、取り外すことができる。
【００２４】
なお、第２蓋体30を設置する他の方法として、前記した第２蓋体30を取り外す方法と逆の方法を採ることもできる。
【００２５】
即ち、前記第２蓋体30を、そのストッパ装置31が前記枠体10の係止凹部14の上方に該当しない位置に配置する。この状態で、前記第２蓋体30を前記枠体10の蓋受棚12に載置すれば、この第２蓋体30は自重によって下方に移動する。そのとき、前記係止突起33の第１斜面35と前記蓋受棚12の第３斜面13との間にカム作用が発生して、前記係止突起33は付勢に抗して後退しながら、前記蓋受棚12の先端面に弾性的に当接した状態で、前記第２蓋体30は前記蓋受棚12に載置される（図７及び図８の状態を参照のこと）。
【００２６】
この状態で、第２蓋体30を前記蓋受棚12に沿って反矢印方向にスライドさせる。すると、前記蓋受棚12の先端面に当接していた前記係止突起33は、前記第２斜面15との間にカム作用が発生して、突出し、前記係止凹部14に係止されるものである。
【産業上の利用可能性】
【００２７】
共同溝用蓋体を１アクションのみで設置できるため、例えば、ＣＣボックス等における蓋体のストッパ装置として、蓋体の設置作業の作業能率を向上させるために利用できる。
【図面の簡単な説明】
【００２８】
【図１】図１はこの発明に係る共同溝用蓋体ストッパ装置の平面図である。
【図２】図２は図１におけるII-II 線拡大断面図である。
【図３】図３は同III-III 線拡大断面図である。
【図４】図４は図２におけるIV-IV 線断面図である。
【図５】図５は同Ｖ-V線断面図である。
【図６】図６は閉蓋前の図３に相当する図である。
【図７】図７は係止突起の開放状態の平面図である。
【図８】図８は図７におけるＶIII-VIII線断面図である。
【符号の説明】
【００２９】
Ｃ  …  ＣＣボックス（共同溝）
10  …  枠体
11  …  アンカーボルト
14  …  係止凹部
15  …  第二斜面
20  …  第１蓋体
21  …  ロック装置
22  …  シリンダ錠
30  …  第２蓋体（蓋体）
31  …  ストッパ装置
32  …  開口
33  …  係止突起
34  …  圧縮ばね
35  …  第１斜面で
36  …  長孔
37  …  固定ボルト
38  …  係止突起用函体
【図１】
2008031804.tif 000003
【図２】
2008031804.tif 000004
【図３】
2008031804.tif 000005
【図４】
2008031804.tif 000006
【図５】
2008031804.tif 000007
【図６】
2008031804.tif 000008
【図７】
2008031804.tif 000009
【図８】
2008031804.tif 000010